(57)【要約】    【課題】  清掃対象部の油汚れやこびりついた汚れ等を効果的に拭き取って清掃を行うことができる加温清掃器及び加温清掃法の提供。    【解決手段】  水を含有し得、水を含有した状態で清掃対象部を拭くことにより、前記水を適用しつつその清掃対象部を清掃することができる拭材Ｂを、前記水を含有した状態で加温押圧体Ｃａにより加温すると共に清掃対象部に対し押圧しつつ清掃対象部を拭く。加温押圧体Ｃａは、加熱部Ｃｂにより加熱する。加温押圧体Ｃａの温度は、加温押圧体Ｃａの温度に応じて加熱部Ｃｂへの電力供給をオン・オフするサーモスタットＥにより設定温度に維持する。【選択図】      図２
2014113200.tif 000002
【特許請求の範囲】
【請求項１】
水系液体を含有し得、水系液体を含有した状態で清掃対象部を拭くことにより、前記水系液体を適用しつつその清掃対象部を清掃することができる拭材と、
その拭材を清掃対象部に対し押圧すると共に水系液体を含有した状態の前記拭材を加温し得る加温押圧体を備えることを特徴とする加温清掃器。
【請求項２】
上記拭材が着脱可能な請求項１記載の加温清掃器。
【請求項３】
拭材を着脱可能に保持し得る拭材保持部を有する請求項２記載の加温清掃器。
【請求項４】
水系液体を含有し得、水系液体を含有した状態で清掃対象部を拭くことにより、前記水系液体を適用しつつその清掃対象部を清掃することができる拭材を着脱し得る清掃器であって、
前記拭材を清掃対象部に対し押圧すると共に水系液体を含有した状態の前記拭材を加温し得る加温押圧体を備えることを特徴とする加温清掃器。
【請求項５】
拭材を着脱可能に保持し得る拭材保持部を有する請求項４記載の加温清掃器。
【請求項６】
加温押圧体を加熱するための加熱部を備える請求項１乃至５の何れか１項に記載の加温清掃器。
【請求項７】
加温押圧体又は加温押圧体により加温する拭材の温度を検知する温度検知部と、その温度検知部により検知された温度に基づき加熱部による加熱を制御する制御部を有する請求項６記載の加温清掃器。
【請求項８】
水系液体を含有し得、水系液体を含有した状態で清掃対象部を拭くことにより、前記水系液体を適用しつつその清掃対象部を清掃することができる拭材を、前記水系液体を含有した状態で加温押圧体により加温すると共に清掃対象部に対し押圧しつつ清掃対象部を拭くことを特徴とする加温清掃法。
【請求項９】
上記加温押圧体が加熱部により加熱される請求項８記載の加温清掃法。
【発明の詳細な説明】
【技術分野】
【０００１】
本発明は、水系液体を含有した拭材により清掃対象面を拭くための加温清掃器及び加温清掃法に関する。
【背景技術】
【０００２】
特開２００３−１１１７０７号公報には、シート状基部の底部の少なくとも主要部に、カットパイルを満遍なく有する拭掃除用の底部カットパイル部を備えると共に、前記シート状基部の縁部のうち、少なくとも前記底部カットパイル部の主な拭方向に交差する縁部の一つが、底部カットパイル部から側部に連続してカットパイルを備える縁部カットパイル部に形成され、シート状基部の上面部のうち縁部カットパイル部を除く部分に、モップの柄の基部に連結された清掃布保持体の底面側に清掃布を保持するための着脱可能な結合手段を有し、前記カットパイルが実質上０．００１デニール以上０．５デニール以下の極細繊維からなり、前記カットパイルにおける極細繊維は、少なくともそのカットパイルの基部を除く部分が互いに分離状態をなすものであり、実質上１デニール以上の太繊維からなるカットパイルにより構成された太繊維カットパイル部を前記シート状基部の底部に部分的に有する水拭き用清掃布の発明が記載されている。
【０００３】
この水拭き用清掃布をモップヘッドに保持した状態で用いることにより、床面等の水拭きを効果的に行うことができるが、油汚れ、こびりついた汚れ等を拭き取る上では必ずしも十分とは言い得なかった。
【先行技術文献】
【特許文献】
【０００４】
【特許文献１】特開２００３−１１１７０７号公報
【発明の概要】
【発明が解決しようとする課題】
【０００５】
本発明は、従来技術に存した上記のような課題に鑑み行われたものであって、その目的とするところは、清掃対象部の油汚れやこびりついた汚れ等を効果的に拭き取って清掃を行うことができる加温清掃器及び加温清掃法を提供することにある。
【課題を解決するための手段】
【０００６】
(1) 本発明の加温清掃器は、
水系液体を含有し得、水系液体を含有した状態で清掃対象部を拭くことにより、前記水系液体を適用しつつその清掃対象部を清掃することができる拭材と、
その拭材を清掃対象部に対し押圧すると共に水系液体を含有した状態の前記拭材を加温し得る加温押圧体を備えることを特徴とする。
【０００７】
拭材が水系液体を含有した状態で、加温押圧体を加熱することにより、加熱された加温押圧体により、水系液体を含有した状態の拭材を加温すると共にその拭材を清掃対象部に対し押圧することができる。水系液体を含有した状態の拭材を、加温押圧体により押圧しつつ加温することができるので、水系液体を含有した状態の拭材の加温を効率良く行い得ると共に、その拭材による清掃対象部に対する清掃効果を高めることができる。また、拭材には満遍なく水系液体を含有させることができるので、この点においても清掃効果を高めることができる。
【０００８】
水系液体を含有した状態で加温された拭材を、加温押圧体により清掃対象部に対し押圧しつつ清掃対象部を拭くことにより、拭材が含有する水系液体が、加温された状態で清掃対象部に適用され且つ拭材が清掃対象部に押圧されつつ清掃対象部が拭かれるので、清掃対象部の油汚れやこびりついた汚れ等を効果的に拭き取って清掃を行うことが可能である。
【０００９】
(1-1) この加温清掃器における上記拭材は、着脱可能なものとすることができる。
【００１０】
(1-2) この加温清掃器は、拭材を着脱可能に保持し得る拭材保持部を有するものとすることができる。
【００１１】
(2) また本発明の別の加温清掃器は、
水系液体を含有し得、水系液体を含有した状態で清掃対象部を拭くことにより、前記水系液体を適用しつつその清掃対象部を清掃することができる拭材を着脱し得る清掃器であって、
前記拭材を清掃対象部に対し押圧すると共に水系液体を含有した状態の前記拭材を加温し得る加温押圧体を備えることを特徴とする。
【００１２】
水系液体を含有した状態の拭材を保持した状態で加温押圧体を加熱することにより、加熱された加温押圧体によって、水系液体を含有した状態の拭材を加温すると共にその拭材を清掃対象部に対し押圧することができる。水系液体を含有した状態の拭材を、加温押圧体により押圧しつつ加温することができるので、水系液体を含有した状態の拭材の加温を効率良く行い得ると共に、その拭材による清掃対象部に対する清掃効果を高めることができる。また、拭材には満遍なく水系液体を含有させることができるので、この点においても清掃効果を高めることができる。
【００１３】
水系液体を含有した状態で加温された拭材を、加温押圧体により清掃対象部に対し押圧しつつ清掃対象部を拭くことにより、拭材が含有する水系液体が、加温された状態で清掃対象部に適用され且つ拭材が清掃対象部に押圧されつつ清掃対象部が拭かれるので、清掃対象部の油汚れやこびりついた汚れ等を効果的に拭き取って清掃を行うことが可能である。
【００１４】
(2-1) この加温清掃器は、拭材を着脱可能に保持し得る拭材保持部を有するものとすることができる。
【００１５】
(3) 上記(1)又は(2)の加温清掃器は、加温押圧体を加熱するための加熱部を備えるものとすることができる。
【００１６】
(3-1) この加温清掃器は、加温押圧体又は加温押圧体により加温する拭材の温度を検知する温度検知部と、その温度検知部により検知された温度に基づき加熱部による加熱を制御する制御部を有するものとすることができる。
【００１７】
(4) 本発明の加温清掃法は、
水系液体を含有し得、水系液体を含有した状態で清掃対象部を拭くことにより、前記水系液体を適用しつつその清掃対象部を清掃することができる拭材を、前記水系液体を含有した状態で加温押圧体により加温すると共に清掃対象部に対し押圧しつつ清掃対象部を拭くことを特徴とする。
【００１８】
水系液体を含有した状態の拭材を保持した状態で加温押圧体を加熱することにより、加熱された加温押圧体によって、水系液体を含有した状態の拭材を加温すると共にその拭材を清掃対象部に対し押圧することができる。水系液体を含有した状態の拭材を、加温押圧体により押圧しつつ加温することができるので、水系液体を含有した状態の拭材の加温を効率良く行い得ると共に、その拭材による清掃対象部に対する清掃効果を高めることができる。また、拭材には満遍なく水系液体を含有させることができるので、この点においても清掃効果を高めることができる。
【００１９】
水系液体を含有した状態で加温された拭材を、加温押圧体により清掃対象部に対し押圧しつつ清掃対象部を拭くことにより、拭材が含有する水系液体が、加温された状態で清掃対象部に適用され且つ拭材が清掃対象部に押圧されつつ清掃対象部が拭かれるので、清掃対象部の油汚れやこびりついた汚れ等を効果的に拭き取って清掃を行うことが可能である。
【００２０】
(4-1) この加温清掃法は、上記加温押圧体が加熱部により加熱されるものとすることができる。
【発明の効果】
【００２１】
本発明の加温清掃器又は加温清掃法によれば、水系液体を含有した状態で加温された拭材を、加温押圧体により清掃対象部に対し押圧しつつ清掃対象部を拭くことにより、拭材が含有する水系液体が、加温された状態で清掃対象部に適用され且つ拭材が清掃対象部に押圧されつつ清掃対象部が拭かれるので、清掃対象部の油汚れやこびりついた汚れ等を効果的に拭き取って清掃を行うことが可能である。
【図面の簡単な説明】
【００２２】
【図１】加温清掃器の模式的な要部正面図である。
【図２】拭材が保持されていない状態の加温清掃器の模式的な要部正面図である。
【発明を実施するための形態】
【００２３】
[1] 本発明の実施の形態を、図面を参照しつつ説明する。図１及び図２は、何れも本発明の実施の形態の一例としての加温清掃器に関するものである。
【００２４】
この加温清掃器Ａは、拭材Ｂ、加温押圧体Ｃａと加熱部Ｃｂと保持盤Ｃｃからなる清掃ヘッドＣと、柄Ｄ（基部付近のみ図示）と、サーモスタットＥと、電源コードＦからなる。
【００２５】
拭材Ｂは、全体が、０．５乃至０．８デニールのナイロン繊維からなる織布製であり、底面積が約２５０ｃｍ２の平面視長方形状をなす。
【００２６】
加温押圧体Ｃａは、平面視長方形状のアルミニウム板からなり、清掃ヘッドＣの底面の大部分を占める。加温押圧体Ｃａの底面には、所要箇所に面ファスナー（図示を略す）が設けられ、この面ファスナーにより拭材Ｂの上面側が加温押圧体Ｃａの底面に着脱し得る。
【００２７】
加熱部Ｃｂは、加温押圧体Ｃａの上面のうち中央部を除くほぼ全体に積層された電熱シートであり、加熱部Ｃｂには電源コードＦが連結されている。
【００２８】
加温押圧体Ｃａの上部中央部には、加温押圧体Ｃａの温度に応じて加熱部Ｃｂへの電力供給をオン・オフして加温押圧体Ｃａの温度を設定温度（約７５℃）に維持するためのバイメタル式のサーモスタットＥが設けられ、加熱部Ｃｂに接続されている。
【００２９】
加熱部Ｃｂが積層された加温押圧体Ｃａは、耐熱性の合成樹脂製の保持盤Ｃｃに保持されて清掃ヘッドＣを構成している。
【００３０】
保持盤Ｃｃの上部中央部には、全方向に傾斜可能に、直交する水平方向の２つの回動軸部Ｄ１・Ｄ２を介して柄Ｄの基部が連結されている。
【００３１】
拭材Ｂに満遍なく水１００ｃｃを含有させた状態で、拭材Ｂの上面側を加温押圧体Ｃａの底面に保持させ、加温押圧体Ｃａを加熱することにより、加熱された加温押圧体Ｃａにより、水を含有した状態の拭材Ｂを加温すると共にその拭材Ｂを清掃対象部に対し押圧することが可能となる。
【００３２】
水を含有した状態の拭材Ｂを、加温押圧体Ｃａにより押圧しつつ加温することができるので、水を含有した状態の拭材Ｂの加温を効率良く行い得ると共に、その拭材Ｂによる清掃対象部に対する清掃効果を高めることができる。
【００３３】
水を含有した状態で加温された拭材Ｂを、加温押圧体Ｃａにより清掃対象部に対し押圧しつつ清掃対象部を拭くことにより、拭材Ｂが含有する水が、加温された状態で清掃対象部に適用され且つ拭材Ｂが清掃対象部に押圧されつつ清掃対象部が拭かれるので、清掃対象部の油汚れやこびりついた汚れ等を効果的に拭き取って清掃を行うことが可能である。
【００３４】
[2] 本発明の実施の形態を、上記以外の形態を含めて更に説明する
【００３５】
(1) 拭材は、水系液体を含有し得、水系液体を含有した状態で清掃対象部を拭くことにより、前記水系液体を適用しつつその清掃対象部を清掃することができるものである。
【００３６】
拭材は水系液体を全体に満遍なく含有し得るものとすることができるほか、清掃に必要な部分にのみ含有し得るものとすることもできる。
【００３７】
清掃において拭材に水系液体を含有させる量としては、例えば、清掃対象部を拭く拭材の底面の面積１ｃｍ２あたり、水系液体０．２乃至１ｃｃ程度とすることができる。好ましくは０．３乃至０．７ｃｃ程度である。
【００３８】
拭材は、加温清掃器における加温押圧体に対し又はその他の部分に対し着脱可能（交換又は洗浄等のための着脱）とすることができるほか、固定され着脱し得ないものとすることもできる。加温清掃器に対する拭材の保持は、例えば、加温清掃器の底面部の一部又は全部と拭材の上面部が面ファスナーにより着脱し得るもの、加温清掃器上面部と拭材の一部が面ファスナーにより着脱し得るもの、拭材の上側に設けた袋状部に加温清掃器の一部又は全部が挿入されて拭材を着脱し得るもの等により行い得る。
【００３９】
拭材の例としては、繊維製の織布又は不織布からなる拭材、スポンジ状の拭材等を挙げることができる。
【００４０】
繊維製の織布又は不織布としては、その全部又は部分（例えば２０、５０、又は７０重量％）が１デニール以下（例えば０．０３乃至１デニール、又は、０．０５乃至０．８デニール）のナイロンやポリエステル等の合成繊維からなるものを好適な例として例示することができる。
【００４１】
スポンジ状の拭材としては、発泡ウレタン等の合成樹脂スポンジ、合成ゴムスポンジ、セルローススポンジ等を例示することができる。
【００４２】
拭材が含有し得る水系液体としては、例えば、水、又は、洗浄剤若しくはその他のものの水溶液を挙げることができる。
【００４３】
清掃対象部としては、床面、壁面、カーペット、家具等、水系液体を含有した状態で加温された拭材による清掃に適していれば特に限定されない。
【００４４】
(2) 加温押圧体は、拭材を清掃対象部に対し押圧すると共に水系液体を含有した状態の拭材を加温し得るものである。加温押圧体は、平面視における拭材全体（又は拭材の周縁部を除く全体）を清掃対象部に対し押圧し得るものであることが好ましい。また加温押圧体は、平面視における拭材全体（又は、加温押圧体により押圧し得る部分全体）を、その拭材全体が水系液体を含有した状態で加温し得るものであることが好ましい。
【００４５】
加温押圧体としては、アルミニウム若しくはアルミニウム合金等の金属板、セラミックス板、耐熱性合成樹脂等からなる合成樹脂板等を用いることができる。
【００４６】
加温押圧体は、例えば、３５−９０℃に加熱された状態で使用するものとすることができる。また、６５−８５℃若しくは７０−８０℃に加熱された状態で使用するものとすることもできる。清掃対象部又は拭材に対する除菌効果を奏するには、例えば８５℃以上に加熱された状態で使用するものとすることもできる。
【００４７】
(3) 加温押圧体の加熱は、例えば、電熱線や電熱線が配線された電熱シート、その他の電気ヒータ等の加熱部により行うことができる。この場合、加温清掃器は、電源コードを介して加熱部に対し電力を供給して加熱又は必要な温度を維持しつつ使用するものとすることができるほか、加熱時には加熱部に対し電力を供給し、使用時には加温押圧体等に蓄えられた熱を利用していわゆるコードレスの状態で清掃に使用することができるものとすることもできる。加温押圧体の加熱は、平面視における加温押圧体全体について行い得るものであることが好ましい。
【００４８】
また加温押圧体の加熱は、例えば、加温押圧体の全部又は部分を金属製として、加温清掃器とは別体の誘導加熱装置を用いて行うことができる。この場合、加温清掃器はいわゆるコードレスの状態で清掃に使用することができる。
【００４９】
(4) この加温清掃器は、加温押圧体又は加温押圧体により加温する拭材の温度を検知する温度検知部と、その温度検知部により検知された温度に基づき加熱部による加熱を制御する制御部を有するものとすることができる。
【００５０】
このような制御部としては、バイメタル式又はサーミスタ等の温度感知半導体素子を用いたサーモスタットを用いて加熱部に対する電力供給を制御して設定範囲内の温度を維持し得るものとすることができる。また、温度を可変設定し得る温度設定部を有するものとすることもできる。
【００５１】
温度検知部は、加温押圧体又は加温押圧体により加温する拭材における互いに離隔した複数箇所の温度を検知するものとすることができるが、一箇所の検知温度に基づき制御を行うことも可能である。
【００５２】
(5) 以上の実施の形態についての記述における上下位置関係は、単に図に基づいた説明の便宜のためのものであって、実際の使用状態等を限定するものではない。
【００５３】
また、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【符号の説明】
【００５４】
Ａ      加温清掃器
Ｂ      拭材
Ｃ      清掃ヘッド
Ｃａ    加温押圧体
Ｃｂ    加熱部
Ｃｃ    保持盤
Ｄ      柄
Ｄ１    回動軸部
Ｄ２    回動軸部
Ｅ      サーモスタット
Ｆ      電源コード
【図１】
2014113200.tif 000003
【図２】
2014113200.tif 000004